(57)【要約】【課題】ソケット台が簡単で小形であり、増灯する場合に灯間及び器具本体の幅を狭くすることができ、また、元の灯数と増灯時の灯数を各々任意にできる照明器具を提供する。【解決手段】ソケット台４は、４辺形とし、１灯用ソケット取付部、２灯用ソケット取付部６、は対向する辺縁部に各々設けられ、中央部に設けられた段差部４ｃを有する階段形状とし、段差部４ｃの両側に各々設けられた器具本体１への取付穴７、８を備え、段差部４ｃの一方側の表面４ａ、他方側の裏面を各々ソケット３の取付面とし、ソケット台４を表裏反転することにより１灯用ソケット取付部か２灯用ソケット取付部６のいずれかを選択し、選択されないソケット取付部側の取付穴を介してネジ１３により前記器具本体１に取付ける。【選択図】        図４
2004158390.tif 000002
【特許請求の範囲】
【請求項１】
照明器具本体と、
この照明器具本体に取付けられ、辺縁部に着脱可能にソケットが取付けられるソケット取付部を、各々異なった数ずつ設けた多角形のソケット台を備え、
ランプの数に応じて、前記ソケット取付部が設けられた前記辺縁部のいずれかを選択し、この選択された前記ソケット取付部に取付けられる前記ソケットが前記ランプの挿入位置になるように前記照明器具本体に取付けたことを特徴とする照明器具。
【請求項２】
ソケット台の中央部に、ソケット取付面の反対側に凹ませて形成し、底面に器具本体への取付穴を有する凹部を設けたことを特徴とする請求項１記載の照明器具。
【請求項３】
ソケット台は、４辺形とし、ソケット取付部は一つの対向する辺縁部にのみ各々設けられ、前記ソケット取付部間の中央部に設けられた段差部を有する階段形状とし、
前記段差部の両側に各々設けられた器具本体への取付穴を備え、
前記段差部の一方側の表面、他方側の裏面を各々ソケットの取付面とし、前記ソケット台を表裏反転することにより前記ソケット取付部のいずれかを選択し、選択されないソケット取付部側の前記取付穴を介して取付手段により前記器具本体に取付けたことを特徴とする請求項１記載の照明器具。
【請求項４】
取付穴はソケット台を反転して器具本体に取付けるとき、同じ位置になるように各々設けたこと特徴とする請求項３記載の照明器具。
【請求項５】
ソケット台を４辺形とし、一つの対向する辺縁部にのみ各々ソケット取付部を設けたことを特徴とする請求項１または２記載の照明器具。
【請求項６】
ソケット台に反射板の取付手段の係合部を設けたことを特徴とする請求項１〜５のいずれかに記載の照明器具。
【発明の詳細な説明】
【０００１】
【発明の属する技術分野】
この発明は、照明器具に係り、特に増灯可能なソケットを備えた照明器具に関する。
【０００２】
【従来の技術】
照明器具において、直管状ランプを装着するランプソケットを着脱可能に取付ける１灯用ソケット台を有するとともに、この１灯用ソケット台と選択的にランプソケットを着脱可能に取付けるものであって、１灯用ソケット台の両側に１灯用ソケット台と並列に配置されて１灯用ソケット台側に、傾いた姿勢で一対のランプソケットを取付ける一対の２灯用ソケット台を有する器具本体とを備えており、２灯間が広くならず、しかも器具本体の幅が狭くても２灯に増灯するようにしている（例えば特許文献１）。
【０００３】
【特許文献１】
特開平７−２２０５１９号公報（段落００１７−００２３、図１〜５）
【０００４】
【発明が解決しようとする課題】
しかしながら、従来の増灯可能な照明器具では、ソケット台が複雑な形状であり、形状が大きいという問題があった。また、２灯用ソケット台が１灯用ソケット台の両側に設けられた構造であり、２灯に増灯する場合、２灯間を狭くするにも限度があり、従って、器具本体の幅狭くするにも限度があり、さらに、増灯する場合は、２灯か３灯程度に限られ、元の灯数と増灯時の灯数については、１灯から２灯か３灯等に限られるという問題があった。
【０００５】
この発明は上記のような問題点を解消するためになされたもので、ソケット台が簡単な形状であり、形状が小形であり、増灯する場合に灯間を狭くし、器具本体の幅を狭くすることができ、さらに、増灯する場合は、増灯の数も任意にでき、また、元の灯数と増灯時の灯数を各々任意にし易い照明器具を提供することを目的とする。
【０００６】
【課題を解決するための手段】
この発明に係る照明器具は、照明器具本体と、この照明器具本体に取付けられ、辺縁部に着脱可能にソケットが取付けられるソケット取付部を、各々異なった数ずつ設けた多角形のソケット台を備え、ランプの数に応じて、前記ソケット取付部が設けられた前記辺縁部のいずれかを選択し、この選択された前記ソケット取付部に取付けられる前記ソケットが前記ランプの挿入位置になるように前記照明器具本体に取付けたものである。
【０００７】
【発明の実施の形態】
実施の形態１．
図１、２はこの発明の実施の形態１を示す照明器具の断面図、図３は照明器具の部分斜視図、図４は反射板を外したときの照明器具の部分斜視図、図５は照明器具のソケット台の平面図、図６はソケットの取付図、図７、８は照明器具の部分斜視図である。なお、図１は１灯、図２は２灯にした場合を示す。図１〜３において、照明器具本体１の天板１ｂには、ランプを装着するソケット３を取付けるソケット台４が取付けられ、反射板２がソケット台４にネジ１５で取付られている。
【０００８】
図４、５において、ソケット台４は、平面形状が４辺形であり、角穴形状の１灯用ソケット取付部５、２灯用ソケット取付部６は一つの対向する辺縁部の折曲部４ｄ、４ｅの近傍に各々設けられ、１灯用ソケット取付部５は１灯用で１個、２灯用ソケット取付部６は２個設けられている。また、ソケット台４は、１灯用ソケット取付部５と２灯用ソケット取付部６の間の中心部には段差部４ｃが設けられ、階段形状である。そして、段差部４ｃの一方側の１灯用ソケット取付部５が設けられた側の表面４ａ、他方側の２灯用ソケット取付部６が設けられた裏面４ｂを各々ソケット３の取付面としている。
なお、段差４ｃの幅は、ソケット３の取付部と配線のスペースを確保できるようにしている。
【０００９】
また、段差部４ｃの両側に器具本体１への取付穴７、８を２個ずつ設けている。取付穴７は１灯用ソケット取付部５側、取付穴８は２灯用ソケット取付部６側であり、この取付穴７、８は１灯用ソケット取付部５、６の間の中心線に対して対称の位置に各々設けている。また、ソケット台４に反射板２の取付手段であるネジ（図示せず）の係合部としてネジ穴９、１０を設けている。ネジ穴９は１灯用ソケット取付部５側、ネジ穴１０は２灯用ソケット取付部６側であり、このネジ９、１０は１灯用ソケット取付部５、６の間の中心線に対して対称の位置に各々設けている。なお、図５では中心線は段差部４ｃと一致するようにしているが、場合によっては、そのようにしなくともよい。
【００１０】
次に、ソケット台４と反射板２の照明器具本体への取付について図１〜７により説明する。
まず、ランプを１灯とする場合は、図５に示すソケット台４の１灯用ソケット取付部５側の表面４ａに、ソケット３を取付ける。ソケット３の取付は図６に示すように、ソケット台４の表面４ａの反対側からソケット３のランプ装着部３ａを段差部４ｃ方向に向けて、１灯用ソケット取付部５に挿入すると、固定爪１４と固定部３ｂにより固定される。
【００１１】
次に、図４に示すように２灯用ソケット取付部６側の裏面４ｂを照明器具本体１の天板１ｂ側に向け、１灯用ソケット取付部５側の辺縁部の折曲部４ｄが照明器具本体１のエンドプレート１ａ側に向けるようにして、２灯用ソケット取付部６側の取付穴８を照明器具本体１の天板１ｂの取付ネジ穴（図示せず）に合わせ、取付穴８にネジ１３を挿入しソケット台４を照明器具本体１の天板１ｂに固定する。そして、反射板２は図１、３に示すようにネジ１５をソケット台４の１灯用ソケット取付部５側のネジ穴９にネジ止めして取付ける。
【００１２】
次に、ランプを２灯とする場合は、反射板２をソケット台４から取り外し、ソケット台４を照明器具本体１の天板１ｂから取り外す。そして、ソケット３を１灯用ソケット取付部５から取り外す。次に、ソケット台４を表裏反転して、図５に示すソケット台４の２灯用ソケット取付部６側の裏面４ｂに、ソケット３を取付ける。ソケット３の取付はソケット台４の裏面４ｂの反対側からソケット３のランプ装着部３ａを段差部４ｃ方向に向けて、２灯用ソケット取付部６に挿入すると、固定爪１４と固定部３ｂにより固定される。
【００１３】
次に、図７に示すように１灯用ソケット取付部５側の表面４ａを照明器具本体１の天板１ｂ側に向け、２灯用ソケット取付部６側の辺縁部の折曲部４ｅが照明器具本体１のエンドプレート１ａ側に向くようにして、１灯用ソケット取付部５側の取付穴７を照明器具本体１の天板１ｂの取付ネジ穴（図示せず）に合わせ、取付穴７にネジ１３を挿入しソケット台４を照明器具本体１の天板１ｂに固定する。そして、反射板２は図２に示すようにネジ１５をソケット台４の２灯用ソケット取付部６側のネジ穴１０にネジ止めして取付ける。
【００１４】
以上のように、本実施の形態によれば、ソケット台４が簡単な形状であり、形状が小形にでき、増灯する場合に灯間を狭くし、器具本体の幅を狭くすることができる。
【００１５】
なお、本実施の形態では、１灯にする場合は、１灯用ソケット取付部５側の辺縁部の折曲部４ｄが照明器具本体１のエンドプレート１ａ側に向けるようにしたが、図８に示すように、ソケット３をソケット台４の１灯用ソケット取付部５側の表面４ａに、ランプ装着部３ａを段差部４ｃ方向と反対側に向けて取付け、ソケット台４を２灯用ソケット取付部６側の辺縁部の折曲部４ｅが照明器具本体１のエンドプレート１ａ側に向くように取付けてもよい。２灯の場合も同様に、この１灯取付状態から表裏反転して取付てもよい。
【００１６】
実施の形態２．
図９はこの発明の実施の形態２を示す照明器具のソケット台の平面図である。図において、実施の形態１の図５と同一部分は同一符号を付し、説明を省略する。また、照明器具の構成も実施の形態１の図１〜図３と同じであり説明を省略する。
【００１７】
ソケット台４は、ソケット取付面が１灯用ソケット取付部５側の表面４ａと２灯用ソケット取付部６側の表面４ｆがを各々ソケット３の取付面とし、ソケット３を取付ける表面４ａ、４ｆの反対側を凹ませて形成し、底面に器具本体１の天板１ｂへの取付穴１６を有する凹部１７を設けている。この凹部１７はソケット３に一体に成形される。
【００１８】
この構成において、ランプを１灯とする場合は、ソケット台４の１灯用ソケット取付部５側の表面４ａにソケット３を取付ける。このとき、ソケット３のランプ装着部３ａを凹部１７方向に向けて取付ける。
【００１９】
次に、１灯用ソケット取付部５側の辺縁部の折曲部４ｄが照明器具本体１のエンドプレート１ａ側に向けるようにして、凹部１７の取付穴１６にネジ１３を挿入しソケット台４を照明器具本体１の天板１ｂに固定する。そして、反射板２は図１、３に示すようにネジ１５をソケット台４の１灯用ソケット取付部５側のネジ穴９にネジ止めして取付ける。
【００２０】
次に、ランプを２灯とする場合は、反射板２をソケット台４から取り外し、ソケット台４を照明器具本体１の天板１ｂから取り外す。そして、ソケット３を１灯用ソケット取付部５から取り外す。次に、ソケット台４を水平方向に反転して、ソケット台４の２灯用ソケット取付部６側の表面４ｆに、ソケット３を取付ける。このときソケット３のランプ装着部３ａを凹部１７方向に向けて取付ける。
【００２１】
次に、２灯用ソケット取付部６側の辺縁部の折曲部４ｅが照明器具本体１のエンドプレート１ａ側に向くようにして、凹部１７の取付穴１６にネジ１３を挿入しソケット台４を照明器具本体１の天板１ｂに固定する。そして、反射板２は図１、３に示すようにネジ１５をソケット台４の１灯用ソケット取付部５側のネジ穴９にネジ止めして取付ける。
【００２２】
以上のように、本実施の形態によれば、ソケット台４が簡単な形状であり、形状が小形にでき、増灯する場合に灯間を狭くし、器具本体の幅を狭くすることができる。
【００２３】
実施の形態３．
図１０はこの発明の実施の形態３を示す照明器具のソケット台の平面図である。
図において、実施の形態１の図５と同一部分は同一符号を付し、説明を省略する。また、照明器具の構成も実施の形態１の図１〜図３と同じであり説明を省略する。
【００２４】
ソケット台４は、略正方形で、辺縁部に１灯用ソケット取付部５、２灯用ソケット取付部６、３灯用ソケット取付部１８が設けられ、表面４ｇがソケット３の取付面とし、ソケット３が取付られる表面４ｇの反対側に凹ませて形成し、底面に器具本体への取付穴２０、２１を有する凹部３０を設けている。
【００２５】
この構成において、ランプを１灯とする場合は、ソケット台４の１灯用ソケット取付部５の表面４ｇにソケット３を取付ける。このとき、ソケット３のランプ装着部３ａを凹部１７方向に向けて取付ける。
【００２６】
次に、１灯用ソケット取付部５側の辺縁部の折曲部４ｈが照明器具本体１のエンドプレート１ａ側に向けるようにして、凹部３０の取付穴２０にネジ１３を挿入しソケット台４を照明器具本体１の天板１ｂに固定する。そして、反射板２はネジ１５をソケット台４のネジ穴９にネジ止めして取付ける。
【００２７】
次に、ランプを２灯とする場合は、反射板２をソケット台４から取り外し、ソケット台４を照明器具本体１の天板１ｂから取り外す。そして、ソケット３を１灯用ソケット取付部５から取り外す。次に、ソケット台４の２灯用ソケット取付部にソケット３を取付ける。このときソケット３のランプ装着部３ａを凹部１７方向に向けて取付ける。
【００２８】
次に、２灯用ソケット取付部６側の辺縁部の折曲部４ｋが照明器具本体１のエンドプレート１ａ側に向くようにして、、凹部１７の取付穴２１にネジ１３を挿入しソケット台４を照明器具本体１の天板１ｂに固定する。そして、反射板２をジ１５をソケット台４のネジ穴１０にネジ止めして取付ける。
【００２９】
次に、ランプを３灯とする場合は、反射板２をソケット台４から取り外し、ソケット台４を照明器具本体１の天板１ｂから取り外す。そして、ソケット３を２灯用ソケット取付部６から取り外す。次に、ソケット台４の３灯用ソケット取付部１８にソケット３を取付ける。このときソケット３のランプ装着部３ａを凹部１７方向に向けて取付ける。
【００３０】
次に、３灯用ソケット取付部１８の辺縁部の折曲部４ｊが照明器具本体１のエンドプレート１ａ側に向くようにして、凹部１７の取付穴２１にネジ１３を挿入しソケット台４を照明器具本体１の天板１ｂに固定する。そして、反射板２をジ１５をソケット台４のネジ穴１９にネジ止めして取付ける。
【００３１】
以上のように、本実施の形態によれば、ソケット台４が簡単な形状であり、形状が小形にでき、増灯する場合に灯間を狭くし、器具本体の幅を狭くすることができる。
また、増灯する場合は、元の灯数と増灯時の灯数を１から２、２から３等に任意にすることができる。
【００３２】
なお、本実施の形態では、ソケット台４が正方形の場合を示したが、多角形にすれば、増灯の数も任意にでき、また、元の灯数と増灯時の灯数を各々任意にすることができる。
【００３３】
【発明の効果】
以上のように、この発明によれば、照明器具本体と、この照明器具本体に取付けられ、辺縁部に着脱可能にソケットが取付けられるソケット取付部を、各々異なった数ずつ設けた多角形のソケット台を備え、ランプの数に応じて、前記ソケット取付部が設けられた前記辺縁部のいずれかを選択し、この選択された前記ソケット取付部に取付けられる前記ソケットが前記ランプの挿入位置になるように前記照明器具本体に取付けたので、ソケット台が簡単な形状であり、形状が小形であり、増灯する場合に灯間を狭くし、器具本体の幅を狭くすることができ、さらに、増灯する場合は、増灯の数も任意にでき、また、元の灯数と増灯時の灯数を各々任意にすることができる。
【図面の簡単な説明】
【図１】この発明の実施の形態１を示す照明器具の断面図である。
【図２】この発明の実施の形態１を示す照明器具の断面図である。
【図３】この発明の実施の形態１を示す照明器具の部分斜視図である。
【図４】この発明の実施の形態１を示す照明器具の反射板を外したときの照明器具の部分斜視図である。
【図５】この発明の実施の形態１を示す照明器具のソケット台の平面図である。
【図６】この発明の実施の形態１を示す照明器具のソケットの取付図である。
【図７】この発明の実施の形態１を示す照明器具の部分斜視図である。
【図８】この発明の実施の形態１を示す照明器具の部分斜視図である。
【図９】この発明の実施の形態２を示す照明器具のソケット台の平面図である。
【図１０】この発明の実施の形態３を示す照明器具のソケット台の平面図である。
【符号の説明】
１  照明器具本体、１ａ  エンドプレート、１ｂ  天板、３  ソケット、４  ソケット台、４ａ、４ｆ、４ｇ  表面、４ｂ  裏面、４ｃ  段差部、４ｄ、４ｅ、４ｈ、４ｉ、４ｋ  折曲部、５  １灯用ソケット取付部、６  ２灯用ソケット取付部、７、８、１６、２０、２１  取付穴、１７、３０  凹部。
【図１】
2004158390.tif 000003
【図２】
2004158390.tif 000004
【図３】
2004158390.tif 000005
【図４】
2004158390.tif 000006
【図５】
2004158390.tif 000007
【図６】
2004158390.tif 000008
【図７】
2004158390.tif 000009
【図８】
2004158390.tif 000010
【図９】
2004158390.tif 000011
【図１０】
2004158390.tif 000012